(57)【要約】【課題】脱臭箇所にオゾンを含む気体を供給して、脱臭箇所の脱臭を行う脱臭装置であって、繊維製品などの脱臭対象物の内部に存在する臭い物質を分解除去することのできる脱臭装置を提供することである。【解決手段】脱臭箇所に押し当てられる脱臭ヘッドを備え、前記脱臭ヘッドは、オゾンを含む気体を前記脱臭箇所に供給する給気口が設けられた第１室と、前記第１室と隣接して設けられ、前記脱臭箇所に供給された気体を吸引する排気口が設けられた第２室と、前記第１室と前記第２室を隔離する隔壁とを有することを特徴とする。【選択図】  図１
2019111268.tif 000002
【特許請求の範囲】
【請求項１】
脱臭箇所にオゾンを含む気体を供給して、脱臭箇所の脱臭を行う脱臭装置であって、
脱臭箇所に当接される脱臭ヘッドを備え、
前記脱臭ヘッドは、オゾンを含む気体を前記脱臭箇所に供給する給気口が設けられた第１室と、
前記第１室と隣接して設けられ、前記脱臭箇所に供給された気体を吸引する排気口が設けられた第２室と、
前記第１室と前記第２室を隔離する隔壁とを有する、
ことを特徴とする脱臭箇所の脱臭を行う脱臭装置。
【請求項２】
前記隔壁が前記脱臭ヘッドの下端にまで延在して設けられていることを特徴とする請求項１に記載の脱臭装置。
【請求項３】
前記第１室には、波長２００ｎｍ以下の紫外線を放射する紫外線ランプが設けられていることを特徴とする請求項１に記載の脱臭装置。
【請求項４】
前記第２室には、オゾン分解手段が設けられていることを特徴とする請求項１に記載の脱臭装置。
【請求項５】
前記第２室内には、波長２３０〜３００ｎｍの光を放射する紫外線ランプが配置されていることを特徴とする請求項１に記載の脱臭装置。
【発明の詳細な説明】
【技術分野】
【０００１】
本発明は、繊維製品などの脱臭装置、特に、オゾンを用いて臭い物質を分解する脱臭装置に関するものである。
【背景技術】
【０００２】
カーペットや、劇場や映画館、車両、家庭用ソファなどの座席などの繊維製品には臭い物質が吸着しやすい。例えば、映画館や車両の座席などは取り外しができないために、脱臭スプレーなどを吹きかけて脱臭処理をしているが、座席の表面のみが脱臭されるだけであって、座席の内部の脱臭にはほとんど効果がない。
また、床や壁に含まれる揮発性有機化合物（ＶＯＣ）を除去する空気浄化装置が知られている。例えば、特開２００７−１５２０２６号公報（特許文献１）にその構造が開示されていて、図８に示されている。
【０００３】
図８において、空気浄化装置２０は、清掃ヘッド２１を有し、図示しない加熱部で加熱された空気が、送風路２２を介して送風室２４に送られ、その下端の吹出口２６から床面などに吹き付けられ、建材に含まれる揮発性ガス（ＶＯＣガス）を揮発させる。
揮発したＶＯＣガスは吸込口２７から吸引室２５内に吸い込まれ、ここでオゾン発生器３０からのオゾンによって酸化分解し、ＶＯＣガスが除去された空気は吸引路２３を経て外部に排気されるものである。
【０００４】
このように、特許文献１の装置は、建材に含まれるＶＯＣガスを吸引し、この吸引されたＶＯＣガスを清浄ヘッド内でオゾンにより分解除去するものであって、座席などの繊維製品の内部に含まれる臭い物質を分解除去するものではない。
つまり、建材等の対象物から吸引したＶＯＣガスをオゾンによって分解処理するにすぎない。
仮にこの空気浄化装置をカーペットや座席など、洗浄できない繊維製品の脱臭に利用した場合には、オゾンはこの繊維製品から吸い出されたＶＯＣガスの分解にのみにしか利用されない。つまり、繊維製品の内部にまでオゾンを供給するものではないので、脱臭対象物の内部に残留する臭い成分の分解除去はできないという問題がある。
【先行技術文献】
【特許文献】
【０００５】
【特許文献１】特開２００７−１５２０２６号公報
【発明の概要】
【発明が解決しようとする課題】
【０００６】
この発明は、上記従来技術の問題点に鑑みて、脱臭箇所にオゾンを含む気体を供給して、脱臭箇所の脱臭を行う脱臭装置であって、繊維製品などの脱臭対象物の内部に存在する臭い物質を分解除去することのできる脱臭装置を提供することである。
【課題を解決するための手段】
【０００７】
上記課題を解決するために、この発明に係わる脱臭装置は、脱臭箇所に当接される脱臭ヘッドを備え、前記脱臭ヘッドは、オゾンを含む気体を前記脱臭箇所に供給する給気口が設けられた第１室と、前記第１室と隣接して設けられ、前記脱臭箇所に供給された気体を吸引する排気口が設けられた第２室と、前記第１室と前記第２室を隔離する隔壁とを有することを特徴とする。
また、前記隔壁が前記脱臭ヘッドの下端にまで延在して設けられていることを特徴とする。
また、前記第１室には、波長２００ｎｍ以下の紫外線を放射する紫外線ランプが設けられていることを特徴とする。
また、前記第２室には、オゾン分解手段が設けられていることを特徴とする。
また、前記第２室内には、波長２３０〜３００ｎｍの光を放射する紫外線ランプが配置されていることを特徴とする
【発明の効果】
【０００８】
この発明にかかる脱臭装置によれば、オゾンを含む気体を第一室の給気口から繊維製品などの脱臭対象物の脱臭箇所に供給して、当該脱臭対象物の内部にまでオゾンを供給するので、当該脱臭対象物の内部に含まれている臭い物質をオゾンにより効果的に分解除去することができる。
【図面の簡単な説明】
【０００９】
【図１】本発明の第１実施例の側断面図。
【図２】本発明の第２実施例の側断面図。
【図３】本発明の第３実施例の側断面図。
【図４】本発明の第４実施例の側断面図。
【図５】本発明の第５実施例の側断面図。
【図６】本発明の第６実施例の側断面図。
【図７】本発明の効果を表す表。
【図８】従来技術の断面図。
【発明を実施するための形態】
【００１０】
図１に本発明のオゾンを利用した脱臭装置１が示されていて、この脱臭装置１は、下端に脱臭ヘッド２を備えるとともに、一対の給気路３と排気路４とを備えている。これら給気路３の下端は第１室５に連結され、排気路４の下端は第２室６にそれぞれ連結されている。
図１（Ｂ）にも示すように、前記第１室５と第２室６とは隔壁７によって隔離されていて、第１室５の下端には給気口８が形成され、第２室６の下端には排気口９が形成されている。そして、隔壁７は、脱臭ヘッド２の下端にまで延在していて、脱臭ヘッド２が座席やカーペットなどの脱臭対象物Ｗの脱臭箇所に当接されたとき、当該隔壁７も脱臭対象物Ｗの脱臭箇所に当接する。
【００１１】
前記給気路３中には、オゾン供給手段として紫外線ランプ１０が設けられている。この紫外線ランプ１０は、波長２００ｎｍ以下の紫外線（真空紫外線）を放射するものである。その一例としては、キセノンエキシマランプが採用される。
また、前記排気路４中には、オゾン分解手段１１が設けられている。このオゾン分解手段１１は、オゾン分解触媒（フィルター）や、活性炭、ハロゲンヒータなどの熱源、波長２３０〜３００ｎｍの光を放射する紫外線光源（ランプやＬＥＤなど）が用いられる。
【００１２】
図１に示すように、脱臭装置１の脱臭ヘッド２は、座席やカーペットなどの脱臭対象物Ｗの脱臭箇所に当接される。ここで、給気路３から空気が供給されると、紫外線ランプ１０からの真空紫外光によって空気中の酸素からオゾンが発生し、そのオゾンと空気とは、第１室５を経てその下端の給気口８から脱臭対象物Ｗに吹き付けられて、その内部にまで到達し、ここで臭い物質と反応してこれを分解する。
次いで、空気は排気口９から第２室６内に吸引され、排気路４を経て外部に排出される。このとき、排気路４中のオゾン分解手段１１によって残留するオゾンが分解除去されて排気される。これにより、作業者に不快感を与えることがなくなる。
【００１３】
このとき、第１室５と第２室６を隔離する隔壁７は、脱臭ヘッド２の下端にまで延在しているので、当該隔壁７もまた脱臭対象物Ｗに当接し、第１室５の給気口８からの空気およびオゾンが、第２室６の排気口９に短絡的に流入することがなく、脱臭対象物Ｗの内部に的確に到達する。
そして、脱臭対象物Ｗの内部に滞留する臭い物質を確実に分解除去する。
なお、前記隔壁７は脱臭ヘッド２の下端まで延在して、脱臭対象物Ｗに当接すると記載したが、厳密な意味で脱臭ヘッド２の下端と全く一致している必要はなく、第１室５の給気口８からの供給された空気およびオゾンが、第２室６の排気口９に短絡的に流入してしまって脱臭対象物Ｗの内部に到達しなくなることを防止できる程度であってよい。
【００１４】
なお、上記構成において、給気路３には送風ファンが、排気路４には吸引ファンが設けられるが、風量などによってはこのうち吸引ファンのみで対応することもできる。
また、上記実施例において、給気路３と第１室５、および排気路４と第２室６はそれぞれ別構造として記載したが、それぞれが一体化した構造、つまり、給気路３と第１室５が一体化し、また、排気路４と第２室６が一体化した構造であってもよい。
【００１５】
図２には脱臭ヘッド２の異なる第２実施例が示されていて、図２（Ｂ）に示しように、第１室５と、第２室６とは、同心状に配置されている。即ち、第１室５の円周上の周囲に第２室６が形成されているものである。なお、図２（Ｂ）で示すように、ここでは、第１室５および第２室６は、断面４角形状とされているが、同心円形状であってもよいし、同心楕円形状であってもよい。
更には、図３に示すように、第１室５と第２室６は同心状でなくてもよく、中央に第１室５が、その両側に第２室６が配置されるものであってもよい。
この第２実施例では、中央の第１室５から空気およびオゾンが脱臭対象物Ｗに供給されて、その内部に至り、ここで臭い物質を分解除去し、外側にある第２室６を経て排気される。
【００１６】
図４に第４実施例が示されていて、この実施例では、図２の第２実施例における第１室５と第２室６との関係が逆になっていて、中央に第２室６が配置され、その周囲に第１室５が配置されているものである。
この場合も、第１室５には紫外線ランプ１０が配置され、第２室６にはオゾン分解手段１１が配置されている。
この第４実施例では、周囲の第１室５に流入する空気が紫外線ランプ１０からの紫外線に曝されてオゾンを発生し、このオゾンと空気が脱臭対象物Ｗの内部に流入して対流する臭い物質を分解除去する。そして、脱臭処理後の空気は、中央の第２室６内に吸引されてオゾン分解手段１１により残留するオゾンが分解除去された後に、排気路４から外部に排気される。
【００１７】
図５に他の第５実施例が示されていて、（Ａ）は側断面図、（Ｂ）はそのＢ−Ｂ断面図、（Ｃ）はＣ−Ｃ断面図である。
この実施例では、隔壁７によって隔離された第１室５内には波長２００ｎｍ以下の紫外線（真空紫外線）を放射する紫外線ランプ１０（真空紫外線ランプ）が配置され、第２室６内には、例えば、波長２３０〜３００ｎｍの光を放射する紫外線ランプ１２が配置される。
この紫外線ランプ１２としては、キセノンエキシマランプの発光管に真空紫外線で励起される蛍光体を塗布した蛍光体ランプを用いることができる。そして、このような波長域の光を放射する蛍光体としては、プラセオジウムリン酸賦活ランタンや、プラセオジウム賦活アルミノホウ酸イットリウムなどが挙げられる。
また、第１室５に連結された給気路３には送風ファン１３が設けられ、第２室６に連結された排気路４には吸引ファン１４がそれぞれ設けられている。
【００１８】
送風ファン１３によって給気路３を経て第１室５の送り込まれた空気は、真空紫外線ランプ１０からの真空紫外線によってオゾンを発生し、このオゾンが脱臭対象物Ｗ中に送り込まれて臭い物質を分解する。そして、第２室６内の紫外線ランプ１２からの紫外線が脱臭箇所に直接照射され、この脱臭箇所に存在する臭い物質を光の作用で分解する。
またこのとき、第１室５内で発生して脱臭箇所に到達したオゾンに紫外線ランプ１２からの光が吸収されて活性酸素種やラジカルが生成され、これらも脱臭対象物Ｗの脱臭に寄与するので、脱臭効果がより大きくなる。
こうして脱臭作用を行った気体は、吸引ファン１４により排気路４を経て外部に排気される。
【００１９】
以上の実施例では、第１室でのオゾン生成手段として真空紫外線ランプを用いたものであるが、これに限られず、プラズマ放電や無声放電を利用したものであってもよい。
図６に真空紫外線ランプ以外のオゾン生成器をもった脱臭装置が示されていて、第１室５の給気路３に、プラズマ放電や無声放電を利用したオゾン生成器１３が備えられている。
給気路３に流入した空気からオゾン生成器１３によってオゾンが発生し、これが第１室５の吸気口８から脱臭対象物Ｗに供給されるものである。
【００２０】
本発明の効果を実証する実験を行った。
サンプルとして、７ｃｍ×７ｃｍのカーペットを９枚用意して３グループに分け、各グループの３枚のカーペットにそれぞれ以下３種類の悪臭物質溶液を滴下した。
（１）第１グループの３枚には、ｔｒａｎｓ−２−ノネナール（和光純薬工業  和光一級）を１０マイクロリットル滴下。
（２）第２グループの３枚には、イソ吉草酸（和光純薬工業  和光特級）を純水で１０００倍希釈した溶液を１０マイクロリットル滴下。
（３）第３グループの３枚には、２５％アンモニア水（和光純薬工業  和光一級）を１０マイクロリットル滴下。
この各グループの３種類のサンプルの各々に対して、
（１）本発明の第１実施例に基づく脱臭装置による処理を３０秒間処理。
（２）第１実施例の真空紫外線ランプを消灯し、吸引のみを３０秒間（比較例１）。
（３）何もせず放置（比較例２）。
の３種類の処理を行った。
【００２１】
＜臭いの評価方法とその結果＞
５人の評価者による感応評価を行った。具体的には、前記３種類の悪臭物質のサンプルにそれぞれ前記３種類の処理を行い、処理後のサンプルの溶液滴下部に鼻を近づけて感じる臭いの強さの順に順位付けを行った。
臭いの表示は以下の６段階臭気強度表示法に従って採点した。
＜臭気強度の評価基準（６段階臭気強度表示法）＞
５点：強烈な臭い
４点：強い臭い
３点：楽に感知できる臭い
２点：何の臭いか分かる弱い臭い
１点：やっと感知できる臭い
０点：無臭
その結果が、図７の表１〜３に表されている。いずれの場合も本発明の効果が実証された。
【００２２】
以上説明したように、本発明に係る脱臭装置によれば、脱臭を行う座席やカーペットなどの繊維製品の内部にまでオゾンを供給するので、当該部位に浸み込んだ臭い物質をオゾンによって効果的に分解除去することができる。
また、第１室から脱臭対象物に供給されたオゾンは、該脱臭対象物の内部に到達した後に、第２室に移動するため、脱臭箇所にオゾンが集中するので、それ以外の領域におけるオゾン濃度を高濃度としなくても効率的な脱臭効果が得られる。このとき、第１室と第２室を隔離する隔壁を脱臭箇所に当接するように延在させることで、オゾンが第１室から第２室に短絡的に流れることがなく、脱臭箇所の深部にまで到達して効果的に臭い物質を分解除去することができる。
【符号の説明】
【００２３】
１  ：脱臭装置
２  ：脱臭ヘッド
３  ：給気路
４  ：排気路
５  ：第１室 
６  ：第２室
７  ：隔壁
８  ：給気口
９  ：排気口
１０：（真空）紫外線ランプ
１１：オゾン分解手段
１２：紫外線ランプ
１３：送風ファン
１４：吸引ファン
１５：オゾン生成器
Ｗ  ：脱臭対象物
【図１】
2019111268.tif 000003
【図２】
2019111268.tif 000004
【図３】
2019111268.tif 000005
【図４】
2019111268.tif 000006
【図５】
2019111268.tif 000007
【図６】
2019111268.tif 000008
【図７】
2019111268.tif 000009
【図８】
2019111268.tif 000010
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
脱臭箇所にオゾンを含む気体を供給して、脱臭箇所の脱臭を行う脱臭装置であって、
脱臭箇所に当接される脱臭ヘッドを備え、
前記脱臭ヘッドは、オゾンを含む気体を前記脱臭箇所に吹き付けて供給する給気口が設けられた第１室と、
前記第１室と隣接して設けられ、前記脱臭箇所に供給された気体を吸引する排気口が設けられた第２室と、
前記第１室と前記第２室を隔離する隔壁とを有し、
前記第１室には、波長２００ｎｍ以下の紫外線を放射する紫外線ランプが設けられていることを特徴とする脱臭箇所の脱臭を行う脱臭装置。
【請求項２】
前記隔壁が前記脱臭ヘッドの下端にまで延在して設けられていることを特徴とする請求項１に記載の脱臭装置。
【請求項３】
前記第２室には、オゾン分解手段が設けられていることを特徴とする請求項１に記載の脱臭装置。
【請求項４】
前記第２室内には、波長２３０〜３００ｎｍの光を放射する紫外線ランプが配置されていることを特徴とする請求項１に記載の脱臭装置。